(57)【要約】  スイッチ装置は、ケースと、ケース内に移動可能に収納された操作体と、操作体をロック状態にするストッパと、操作体の移動に伴い電気的接離が行なわれるスイッチ接点と、ケースに配設された解除体と、ケースに配設された保持ばねとを備える。操作体はカム部を有する。ストッパは係止部を有し、操作体の移動に伴い係止部がカム部に係止することにより操作体をロック状態にする。解除体は、ケースの外方へ突出する作動部を有する。保持ばねは、解除体を所定方向へ付勢する。ロック状態において解除体と保持ばねのいずれか一方がストッパを押圧して係止部をカム部に係止保持させる。カム部が係止部を係止保持している状態で、解除体の作動部を操作すると、解除体が移動して解除体と保持ばねのいずれか一方がストッパから離れる方向へ移動し、係止部がカム部から離れる。このスイッチ装置は、部品点数が少なく簡易な構成で、小型にすることができる。
2015087484.tif 000002
【特許請求の範囲】
【請求項１】
ケースと、
前記ケース内に移動可能に収納されて、カム部を有する操作体と、
係止部を有し、前記操作体の移動に伴い前記係止部が前記カム部に係止することにより前記操作体をロック状態にするストッパと、
前記操作体の移動に伴い電気的接離が行なわれるスイッチ接点と、
前記ケースに配設されて、前記ケースの外方へ突出する作動部を有する解除体と、
前記ケースに配設されて、前記解除体を所定方向へ付勢する保持ばねと、
を備え、
前記ロック状態において前記解除体と前記保持ばねのいずれか一方が前記ストッパを押圧して前記係止部を前記カム部に係止保持させ、
前記カム部が前記係止部を係止保持している状態で、前記解除体の前記作動部を操作すると、前記解除体が移動して前記解除体と前記保持ばねの前記いずれか一方が前記ストッパから離れる方向へ移動し、前記係止部が前記カム部から離れる、スイッチ装置。
【請求項２】
前記ロック状態において、前記保持ばねが前記解除体を外方へ付勢すると共に前記ストッパを押圧し、前記解除体の前記作動部を操作すると前記保持ばねが弾性変形して前記ストッパから離れる方向へ移動する、請求項１に記載のスイッチ装置。
【請求項３】
前記解除体は枠形状を有して、前記操作体の移動方向に対し略直交方向にスライド移動する、請求項２に記載のスイッチ装置。
【請求項４】
前記ロック状態において、前記保持ばねが前記解除体を所定方向へ付勢すると共に前記解除体が前記ストッパを押圧し、前記解除体の前記作動部を操作すると前記解除体が前記ストッパから離れる、請求項１に記載のスイッチ装置。
【請求項５】
前記解除体は回転可能に前記ケースに軸支され、前記作動部が前記ケースの下方に延出している、請求項４に記載のスイッチ装置。
【発明の詳細な説明】
【技術分野】
【０００１】
本発明は、操作体への押圧操作によりスイッチ接点の電気的接離が行なわれると共に、操作体が所定の移動位置でロックするロック機構を有するスイッチ装置に関する。
【背景技術】
【０００２】
近年、車室内において、フロントパネルやコンソールボックス近傍に回転操作型の回転入力装置と押圧操作型のスイッチ装置を組合せて、エアコンやオーディオ機器等の電子機器を操作する入力装置が用いられており、小型で確実な操作の入力装置が求められている。【０００３】
図９は従来のスイッチ装置３を使用した回転入力装置２の分解斜視図である。回転入力装置２は回転可能な回転操作部２Ａを備える。回転操作部２Ａがフロントパネル１の開口１Ａから突出するように回転入力装置２が配置される。回転入力装置２の下方にスイッチ装置３が配置されている。回転入力装置２及びスイッチ装置３が例えば車内のエアコンに接続される。【０００４】
スイッチ装置３は、例えば、特許文献１に開示されている。【０００５】
回転入力装置２の中央には上下動可能な押釦２Ｂが設けられ、押釦２Ｂ下部に側方へ延出した押圧部によって、スイッチ装置３の操作体３Ａが押圧される。【０００６】
回転入力装置２の動作を説明する。押釦２Ｂを押圧操作すると、スイッチ装置３は操作体３Ａの上下動に伴い、ケース３Ｂの内部のスイッチ接点の電気的接離が行なわれる。それと同時に、スイッチ装置３は、ケース３Ｂの内部の操作体３Ａの側面に設けられたハート状のカム部に板バネで付勢されたストッパが係止されて所定の移動位置で保持されるロック状態となって、例えば、車室の内外気の換気切換えの内、内気への切換えが行なわれる。【０００７】
また、スイッチ装置３のロック状態で押釦２Ｂを押圧操作すると、ストッパとカム部との係止が外れ、操作体３Ａはその下面に配置されたコイルばねの付勢力によって上方へ復帰してレリーズ状態となると共に、スイッチ接点の電気的接離が行なわれて、元の外気へと切換わる。【０００８】
そして、回転入力装置２の回転操作部２Ａを時計回り方向の所定の位置、フロントガラスの例えば曇り止めのモード設定の位置である表示「４」に回転させると、回転操作部２Ａ下面に外方に突出した側方押圧部によって、スイッチ装置３の側面から突出した解除体３Ｃが後方へ押圧される。【０００９】
押圧された解除体３Ｃが内部のストッパとカム部との係止を外し、上方へ付勢された操作体３Ａが上方の元のレリーズ位置へ復帰すると共に、スイッチ接点の電気的接離が行なわれ、エアコンが外気に切換えられて、フロントガラス内面に乾気を吹出す。【００１０】
つまり、スイッチ装置３は操作体３Ａを上下動させることによって、操作体３Ａのロック又はロック解除が行なわれると共に、スイッチ接点の電気的接離が行なわれる。一方、ロック状態でケース３Ｂの側面から突出した解除体３Ｃを側方から押圧操作すると、解除体３Ｃによってストッパとカム部との係止が外れてロック解除され、操作体３Ａはレリーズ位置に戻る。
【先行技術文献】
【特許文献】
【００１１】
【特許文献１】特開２０００−３３１５６３号公報
【発明の概要】
【００１２】
スイッチ装置は、ケースと、ケース内に移動可能に収納された操作体と、操作体をロック状態にするストッパと、操作体の移動に伴い電気的接離が行なわれるスイッチ接点と、ケースに配設された解除体と、ケースに配設された保持ばねとを備える。操作体はカム部を有する。ストッパは係止部を有し、操作体の移動に伴い係止部がカム部に係止することにより操作体をロック状態にする。解除体は、ケースの外方へ突出する作動部を有する。保持ばねは、解除体を所定方向へ付勢する。ロック状態において解除体と保持ばねのいずれか一方がストッパを押圧して係止部をカム部に係止保持させる。カム部が係止部を係止保持している状態で、解除体の作動部を操作すると、解除体が移動して解除体と保持ばねのいずれか一方がストッパから離れる方向へ移動し、係止部がカム部から離れる。
【００１３】
このスイッチ装置は、部品点数が少なく簡易な構成で、小型にすることができる。
【図面の簡単な説明】
【００１４】
【図１】図１は実施の形態１によるスイッチ装置の断面図である。
【図２】図２は実施の形態１によるスイッチ装置の分解斜視図である。
【図３】図３は実施の形態１によるスイッチ装置のカム部の拡大平面図である。
【図４Ａ】図４Ａは実施の形態１によるスイッチ装置の動作を示す断面図である。
【図４Ｂ】図４Ｂは実施の形態１によるスイッチ装置の動作を示す断面図である。
【図４Ｃ】図４Ｃは実施の形態１によるスイッチ装置の動作を示す断面図である。
【図５】図５は実施の形態１によるスイッチ装置を使用した入力装置の斜視図である。
【図６】図６は実施の形態２によるスイッチ装置の断面図である。
【図７】図７は実施の形態２によるスイッチ装置の分解斜視図である。
【図８Ａ】図８Ａは実施の形態２によるスイッチ装置の動作を示す断面図である。
【図８Ｂ】図８Ｂは実施の形態２によるスイッチ装置の動作を示す断面図である。
【図８Ｃ】図８Ｃは実施の形態２によるスイッチ装置の動作を示す断面図である。
【図９】図９は従来のスイッチ装置を使用した入力装置の分解斜視図である。
【発明を実施するための形態】
【００１５】
（実施の形態１）
図１と図２はそれぞれ実施の形態１によるスイッチ装置３０の断面図と分解斜視図である。ケース１１は上方向１０１に開口する略箱形状を有してポリブチレンテレフタレート（以降、ＰＢＴと記載する）等の絶縁樹脂よりなる。
【００１６】
複数の固定接点１１２Ａ、１１２Ｂ、１１２Ｃは銅合金等の導電金属板よりなる。複数の固定接点１１２Ａ、１１２Ｂ、１１２ＣはＰＢＴ等の絶縁樹脂によりインサート成形されて固定接点体１３を形成する。固定接点１１２Ａ、１１２Ｂ、１１２Ｃはこの順で上方向１０１に配列されている。ケース１１内部に上方向１０１（下方向１０２）に直角の前方向１０３と後方向１０４に固定接点体１３が各々固定される。固定接点１１２Ａ、１１２Ｂ、１１２Ｃの下部には端子部１２Ａ、１２Ｂ、１２Ｃがそれぞれ設けられている。固定接点１１２Ａ、１１２Ｂ、１１２Ｃから下部の端子部１２Ａ、１２Ｂ、１２Ｃがケース１１の下面から下方向１０２に突出している。２つの固定接点体１３は前方向１０３（後方向１０４）で互いに対向する。２つの固定接点１１２Ａ（端子部１２Ａ）は前方向１０３（後方向１０４）で互いに対向する。２つの固定接点１１２Ｂ（端子部１２Ｂ）は前方向１０３（後方向１０４）で互いに対向する。２つの固定接点１１２Ｃ（端子部１２Ｃ）は前方向１０３（後方向１０４）で互いに対向する。
【００１７】
操作体１４はＰＢＴやポリオキシメチレン（以降、ＰＯＭと記載する）等の絶縁樹脂よりなる。操作体１４は、基部１４Ａと、基部１４Ａの上部に設けられた操作部１４Ｂとを有する。開口部１１Ａから上方向１０１へ操作部１４Ｂが突出するように、操作体１４はケース１１内に上方向１０１と下方向１０２に移動可能に収納されている。
【００１８】
上方向１０１（下方向１０２）と前方向１０３（後方向１０４）とに直角の左方向１０５の操作体１４の側面にはカム部１５が設けられている。カム部１５は、略ハート状の凸カム部１５Ａと、凸カム部１５Ａの周囲に設けられて溝状に窪んだ溝部１５Ｂからなる。溝部１５Ｂでは複数の段差が連なっており、カム部１５は所謂ハートカムを構成する。
【００１９】
操作体１４の基部１４Ａ前方向１０３と後方向１０４の両側面には収納部１４Ｃが形成されている。収納部１４Ｃには、略クリップ形状を有してリン青銅板等の導電金属板製の可動接点１６が各々収納される。可動接点１６は固定接点１１２Ａ、１１２Ｂ、１１２Ｃを挟み固定接点１１２Ａ、１１２Ｂ、１１２Ｃに弾接している。具体的には、可動接点１６は固定接点１１２Ａ、１１２Ｂ、１１２Ｃのうちの２つの固定接点を同時に挟み弾接し、固定接点１１２Ａ、１１２Ｂ、１１２Ｃの全てを同時に弾接していない。この構成により可動接点１６は、固定接点１１２Ａ、１１２Ｂ（端子部１２Ａ、１２Ｂ）を接続して固定接点１１２Ｃ（端子部１２Ｃ）を固定接点１１２Ａ、１１２Ｂ（端子部１２Ａ、１２Ｂ）から切断する第１の接続状態と、固定接点１１２Ｂ、１１２Ｃ（端子部１２Ｂ、１２Ｃ）を接続して固定接点１１２Ａ（端子部１２Ａ）を固定接点１１２Ｂ、１１２Ｃ（端子部１２Ｂ、１２Ｃ）から切断する第２の接続状態とにスイッチ接点１６Ａを切り替えることができる。
【００２０】
操作体１４の上方向１０１と下方向１０２の移動に伴って、可動接点１６が上方向１０１と下方向１０２に移動し、固定接点１１２Ａ〜１１２Ｃとの接離が行なわれるように、可動接点１６と固定接点１１２Ａ〜１１２Ｃはスイッチ接点１６Ａを構成する。
【００２１】
ストッパ１７はステンレス線やピアノ線などの金属線よりなる。ストッパ１７は、ストッパ１７の上部に設けられた係止部１７Ａと、ストッパ１７の下部に設けられた支持部１７Ｂと、係止部１７Ａから実質的に下方向１０２に支持部まで延びる直線部１７Ｃとを有する。係止部１７Ａは直線部１７Ｃからカム部１５に向かって左方向１０５の反対の右方向１０６に曲折した略Ｌ字状を有する。支持部１７Ｂは直線部１７Ｃから係止部１７Ａと反対の左方向１０５に曲折した略Ｌ字形状を有する。
【００２２】
ストッパ１７の支持部１７Ｂがケース１１の底面の小突部１１Ｂの上面に当接すると共に、係止部１７Ａがカム部１５の下方の溝部１５Ｂに当接している。
【００２３】
操作体１４の下面とケース１１の底面との間にはやや撓んだ状態でコイルばね１８が装着され、操作体１４を上方へ付勢している。
【００２４】
また、コイルばね１８の内側にストッパ１７が挿通すると共に、コイルばね１８の下端の片側がストッパ１７の支持部１７Ｂに上方から弾接してストッパ１７を小突部１１Ｂを支点に下方向１０２へ押圧し、ストッパ１７の上端の係止部１７Ａをカム部１５方向へ比較的小さな力ではあるが付勢している。
【００２５】
また、保持ばね１９は略矩形状を有し、ステンレス板や銅合金板等の弾性金属板よりなる。保持ばね１９は、保持ばね１９の下端に設けられた固定部１９Ａと、保持ばね１９の上端に設けられた保持部１９Ｂとを有する。固定部１９Ａはケース１１の左方向１０５の内側壁の近傍の底面に突出した支持壁１１Ｃに挟持されている。保持部１９Ｂは、略Ｌ字形状に曲折されて、ストッパ１７の係止部１７Ａの左方向１０５の側面に当接する、又は隙間を空けてその側面の近傍に配置されている。
【００２６】
解除体２０は略矩形枠形状を有し、ＰＢＴやＰＯＭ等の絶縁樹脂よりなる。カバー２１は下方向１０２に開口し、同じくＰＢＴやＰＯＭ等の絶縁樹脂よりなる。解除体２０は、ケース１１の上面とカバー２１との間に、操作体１４の外周を囲うように配置されると共に、操作体１４の左方向１０５と右方向１０６へ移動可能に装着されている。
【００２７】
詳細には、解除体２０の右側に形成された作動部２０Ａがケース１１の右方向１０６の外方へ突出する。作動部２０Ａの前方向１０３と後方向１０４の両内側に形成された摺動部２０Ｂがカバー２１の切欠部２１Ａ内を左方向１０５と右方向１０６に摺動可能に配置されている。
【００２８】
また、摺動部２０Ｂからケース１１内に延出した枠部２０Ｃの内側には解除部２０Ｄが形成されている。やや撓んだ状態の保持ばね１９の保持部１９Ｂが解除部２０Ｄに弾接して、解除体２０を右方向１０６へ付勢している。
【００２９】
なお、摺動部２０Ｂは切欠部２１Ａ内を摺動する際に、摺動部２０Ｂと右側の作動部２０Ａ及び左側の枠部２０Ｃとの間の各桟部によって、切欠部２１Ａの空間が覆われて開口は生じない。
【００３０】
したがって、車室内の比較的塵埃が発生し易い使用環境においても、塵埃等がスイッチ装置３０内に侵入し難く、スイッチ接点１６Ａの電気的接離が安定したものにできる。
【００３１】
解除体２０の上方向１０１に配置されたカバー２１の左方向１０５と右方向１０６の側面に設けられた複数の係止孔２１Ｂはケース１１の両側面の係合部１１Ｄに対向する。カバー２１の複数の係止孔２１Ｂにケース１１の係合部１１Ｄが係合して。カバー２１がケース１１に装着されている。
【００３２】
また、カバー２１の左側の下端に突出した規制部２１Ｃがストッパ１７の支持部１７Ｂの上方への移動を規制するようにケース１１内側に配置され、カバー２１がケース１１上面の開口部１１Ａを覆ってスイッチ装置３０が構成されている。
【００３３】
スイッチ装置３０の動作を説明する。図３はカム部１５の拡大平面図である。図４Ａから図４Ｃは実施の形態１によるスイッチ装置の動作を示す断面図である。スイッチ装置３０は、図１に示すように、操作体１４がカバー２１の上面から最高位に突出したレリーズ状態では、ストッパ１７の係止部１７Ａは図３に示すように、凸カム部１５Ａの下方の溝部１５Ｂの位置Ｐ１に位置している。
【００３４】
そして、操作部１４Ｂを下方向１０２に押圧操作すると操作体１４がコイルばね１８を撓ませながら下方向１０２へ移動する。
【００３５】
操作体１４の下方向１０２への移動に伴って、スイッチ接点１６Ａが第１の接続状態から第２の接続状態となる。すなわち、第１の接続状態では、可動接点１６が上方の固定接点１１２Ａ、１１２Ｂに弾接し、スイッチ接点１６Ａが端子部１２Ｂ、１２Ｃが接続される。第２の接続状態では、図４Ａに示すように、可動接点１６が下方の固定接点１１２Ｂ、１１２Ｃに弾接し、可動接点１６により端子部１２Ａ、１２Ｂがスイッチ接点１６Ａに接続される。
【００３６】
この時、ストッパ１７の係止部１７Ａは、図３に示すように、操作体１４の下方向１０２への移動降に伴い、溝部１５Ｂの段差を反時計回り方向に摺動して位置Ｐ２に移動し、凸カム部１５Ａの上面に係止して、操作体１４が所定の移動位置で保持されたロック状態となる。
【００３７】
なお、このロック状態では、コイルばね１８によるストッパ１７の係止部１７Ａをカム部１５の方向へ付勢する力は小さく、操作体１４へのコイルばね１８による上方向１０１へ付勢する力は大きい。したがって、係止部１７Ａが凸カム部１５Ａの上面から左方向１０５へ抜け出す大きな力を受ける。しかし、保持ばね１９が係止部１７Ａの左方向１０５の側面に当接又は弾接して係止部１７Ａと凸カム部１５Ａの上面との係止を保持しているため、係止部１７Ａがカム部１５に確実に係止されロック状態が保持されている。
【００３８】
次に、再び操作部１４Ｂを押圧操作すると、操作体１４は最下位置であるフルストローク位置に移動すると共に、係止部１７Ａは凸カム部１５Ａ上方の位置Ｐ２からさらに反時計回り方向の位置Ｐ３に摺動して、凸カム部１５Ａとの係止が外れたロック解除状態となる。
【００３９】
その後、操作体１４が上方向１０１へ付勢されて上昇し図１に示す元のレリーズ位置に復帰すると共に、係止部１７Ａは図３に示す位置Ｐ１に戻りスイッチ接点が第１の接続状態となる。
【００４０】
また、スイッチ装置３０が図４Ａに示すロック状態において、スイッチ装置の右側から突出した解除体２０の作動部２０Ａを左方向１０５へ押圧操作すると、図４Ｂに示すように、作動部２０Ａが押圧された解除体２０は、解除部２０Ｄが保持ばね１９の保持部１９Ｂを左方向１０５へ押しながら左方向１０５へスライド移動する。
【００４１】
この時、図４Ｃに示すように、解除部２０Ｄに押された保持ばね１９は左方向１０５へ弾性変形して保持部１９Ｂがストッパ１７の係止部１７Ａから離れ、係止部１７Ａと凸カム部１５Ａとの係止が外れてロック解除状態となって、操作体１４はコイルばね１８に付勢されてレリーズ位置へ復帰する。
【００４２】
この後、作動部２０Ａへの押圧操作を解除すると、保持ばね１９によって右方へ付勢された解除体２０は右方向１０６へスライド移動して、ケース１１右方向１０６の外方へ突出した元の位置へ戻る。
【００４３】
このように、スイッチ装置３０は、操作体１４を上方向１０１と下方向１０２に移動させることによって操作体１４のロック又はロック解除が行なわれると共に、スイッチ接点１６Ａの電気的接離が行なわれる。ロック状態でケース１１の側方から外方に突出した解除体２０の作動部２０Ａをケース１１の方向へ押圧操作してスライド移動すると、解除体２０の解除部２０Ｄによって保持ばね１９がカム部１５への方向とは反対方向（左方向１０５）へ弾性変形して、保持部１９Ｂがストッパ１７の係止部１７Ａから離れて、係止部１７Ａとカム部１５との係止が外れ、ロックを解除させるように構成されている。
【００４４】
図５はスイッチ装置３０を用いた入力装置３２の分解斜視図である。入力装置３２は車両に搭載される。入力装置３２は、回転可能な回転操作部３２Ａを備える。回転操作部３２Ａが車室内のフロントパネル３１の開口３１Ａから突出するように入力装置３２が配置される。入力装置３２の下方には、配線基板３３に端子部１２Ａがはんだ付けされて実装されたスイッチ装置３０が配置されている。
【００４５】
入力装置３２の中央には上下動可能に押釦３２Ｂが装着され、押釦３２Ｂの下部に外方へ延出した操作部１４Ｂが押圧可能にスイッチ装置３０が配置されている。
【００４６】
入力装置３２及びスイッチ装置３０が下方の配線基板３３を介して、例えば車両の電子回路に接続され、エアコン操作用の入力装置が構成されている。
【００４７】
押釦３２Ｂを押圧操作すると、下部の押圧部を介して操作部１４Ｂが押圧され、操作体１４の下方向１０２への移動に伴ってスイッチ接点１６Ａが第１の接続状態から第２の接続状態となる。第２の接続状態を示す信号が車両の電子回路に送信されて、例えば、車室内外の空気の取り入れを切換える外気導入／内気循環のうちの内気循環としてなって車室内の空気を循環させる。
【００４８】
この時、操作体１４がストッパ１７とカム部１５との係止によって、所定の移動位置で保持されたロック状態となる。
【００４９】
次に、ロック状態で再び押釦３２Ｂを押圧操作すると、ストッパ１７とカム部１５との係止が外れ、操作体１４のロックが解除され、操作体１４がレリーズ位置に復帰すると共に、スイッチ接点１６Ａが第２の接続状態から第１の接続状態に変わって、例えば、エアコンは外気を取り入れる外気導入の状態となる。
【００５０】
また、スイッチ装置３０がロック状態でエアコン送風が内気循環の状態の時に、フロントガラスに曇りが生じ易い場合には、入力装置３２の回転操作部３２Ａを回転させて所定の位置、例えば、曇り止めのモード設定の位置である表示「４」に回転させる。
【００５１】
この時、回転操作部３２Ａの所定の位置への回転に伴って、回転操作部３２Ａの下部に下方向１０２で外方に突出した側方押圧部によって、スイッチ装置３０の右方向１０６から突出した解除体２０の作動部２０Ａが押圧される。
【００５２】
そして、作動部２０Ａが押圧された解除体２０は左方向１０５へスライド移動するため、操作体１４のロックが解除され、操作体１４はレリーズ位置へ復帰して、エアコンは外気導入の状態になる。それと共に、入力装置３２から第１の接続状態に対応する所定の信号が送信されて、例えば、フロントガラスの下方の吹き出し口から外気が吹き出して、フロントガラスの曇りが除去されるように構成されている。
【００５３】
このように実施の形態１によるスイッチ装置３０では、解除体２０の解除部２０Ｄに保持ばね１９が弾接して解除体２０が外方へ付勢され、操作体１４がロック状態のときに、作動部２０Ａを押圧すると解除体２０が保持ばね１９を弾性変形させてストッパ１７から離れる。これによって、ストッパ１７とカム部１５との係止が外れてロックが解除される。保持ばね１９がロック状態を保持すると共に解除体２０を外方へ付勢することで、解除体２０を付勢する別の付勢部材を設ける必要はない。したがって、部品点数が少なく簡易な構成で、操作体１４によるロック及びロック解除と解除体２０によるロック解除が確実で、小型のスイッチ装置３０を実現することができる。
【００５４】
図９に示す従来のスイッチ装置３では、解除体のケース内の端部にはハート状のカム部の一部が形成されており、板バネによってストッパがカム部に付勢されてカム部表面を回動又は係止保持されている。この状態で解除体を所定方向に押圧して移動することによって、解除体の端部であるカム部の一部によりストッパが外方へ押し出されて、カム部との係止を外す。それと同時に、解除体は操作体との間に装着した付勢ばねによって外方へ付勢されているため、スイッチ装置３は部品点数が多く、構造が複雑で、小型化が困難である。
【００５５】
また、従来のスイッチ装置３では、解除体は操作体の略中間部を貫通して上下方向と直交方向へ移動可能に装着され、操作体の上下動に連動して上下方向に移動するため、ケース側面に解除体の移動範囲となる開口が上下方向に延びて形成されている。このため開口から塵埃等が侵入し易い。スイッチ装置３を防塵構造とする場合は、ケースの側面の開口を覆うカバーを設け、さらに解除体を押圧する駆動体を設けるなど、大型で複雑な構成が必要である。
【００５６】
また、解除体２０を略矩形枠形状に形成し操作体１４が移動する上方向１０１と下方向１０２に対し略直交する左方向１０５と右方向１０６にスライド移動することによって、解除体２０の枠形状の内側に操作体１４を上下動可能に配置できると共に、解除体２０の押圧部材としての強度が確保されるため、より解除体２０の動作が安定し、操作が確実で小型のスイッチ装置３０にすることができる。
【００５７】
（実施の形態２）
図６と図７はそれぞれ実施の形態２によるスイッチ装置５０の断面図と分解斜視図である。図６と図７において、図１から図３に示す実施の形態１によるスイッチ装置３０と同じ部分には同じ参照番号を付す。ケース４１は上方向１０１に開口する略箱形状を有し、絶縁樹脂よりなる。ケース４１の左方向１０５の側面には略矩形状の切欠き４１Ａが形成されている。
【００５８】
複数の固定接点１４２Ａ、１４２Ｂ、１４２Ｃは銅合金等の導電金属板よりなる。複数の固定接点１４２Ａ、１４２Ｂ、１４２ＣはＰＢＴ等の絶縁樹脂によりインサート成形されて固定接点体４３を形成する。固定接点１４２Ａ、１４２Ｂ、１４２Ｃはこの順で上方向１０１に配列されている。ケース１１内部に上方向１０１（下方向１０２）に直角の前方向１０３と後方向１０４に固定接点体４３が各々固定される。固定接点１４２Ａ、１４２Ｂ、１４２Ｃの下部には端子部４２Ａ、４２Ｂ、４２Ｃがそれぞれ設けられている。２つの固定接点体４３は前方向１０３（後方向１０４）で互いに対向する。端子部４２Ａ、４２Ｂ、４２Ｃがケース４１の下面から前方向１０３と後方向１０４に突出すると共に、ケース４１の下面と略平行に延びている。２つの固定接点１４２Ａ（端子部４２Ａ）は前方向１０３（後方向１０４）で互いに対向する。２つの固定接点１４２Ｂ（端子部４２Ｂ）は前方向１０３（後方向１０４）で互いに対向する。２つの固定接点１４２Ｃ（端子部４２Ｃ）は前方向１０３（後方向１０４）で互いに対向する。
【００５９】
なお、図７に示す端子部４２Ａ、４２Ｂ、４２Ｃは下方に直線状に延出した端子部４２Ａ、４２Ｂ、４２Ｃをケース４１に挿通後、折曲された状態を便宜上図示している。
【００６０】
実施の形態１によるスイッチ装置３０と同様に、実施の形態２におけるスイッチ装置５０では、操作体１４は、操作体１４の左方向１０５の側面に設けられたカム部１５を有する。操作体１４は、可動接点１６が収納された収納部１４Ｃを有する。操作体１４は、コイルばね１８により上方向１０１に付勢されて、上方向１０１と下方向１０２に移動可能にケース４１に収納されている。操作体１４の上下動に伴って可動接点１６と固定接点１４２Ａ〜１４２Ｃからなるスイッチ接点１６Ａの電気的接離が行われる。
【００６１】
さらに、実施の形態１によるスイッチ装置３０と同様に、実施の形態２におけるスイッチ装置５０では、ストッパ１７がケース４１の底面の小突部４１Ｂに当接すると共に、係止部１７Ａがカム部下方の溝部１５Ｂに当接している。
【００６２】
解除体４４は逆Ｌ字形状を有し、ＰＢＴやＰＯＭ等の絶縁樹脂よりなる。解除体４４は、ケース４１の切欠き４１Ａから外方の下方へ突出する作動部４４Ａを有し、ケース４１内方へ延びる保持部４４Ｂを有する。
【００６３】
また、解除体４４の略中央には前方向１０３と後方向１０４の両側から軸部４４Ｃが突出する。軸部４４Ｃはケース４１の内側に対応して形成された凹状の軸支部４１Ｃに回転可能に軸支されている。
【００６４】
なお、軸部４４Ｃから作動部４４Ａの端部までの長さに対し、軸部４４Ｃから保持部４４Ｂの端部までの長さは短くなっている。
【００６５】
保持ばね４５は前方向１０３（後方向１０４）から見た側面視で下方向１０２に開いている略逆Ｖ字形状を有してステンレス板や銅合金板等の弾性金属板よりなる。保持ばね４５の逆Ｖ字形状は、曲折部４５Ａと、曲折部４５Ａから下方に延びて右方向１０６に位置する辺４５Ｂと、曲折部４５Ａから下方に延びて左方向１０５に位置する辺４５Ｃとを有する。保持ばね４５の右方向１０６の辺４５Ｂはケース４１の内側の左方向１０５の側壁に係止されて固定される。保持ばね４５の曲折部４５Ａは切欠き４１Ａに位置する。保持ばね４５の左方向１０５の辺４５Ｃはやや撓んだ状態で解除体４４の作動部４４Ａの内側に弾接して、解除体４４の後方向１０４から見て解除体４４を時計回り方向へ付勢している。
【００６６】
カバー４６は絶縁樹脂よりなる。カバー４６は、ケース４１の上面の開口と解除体４４の作動部４４Ａの上面を覆う。カバー４６の下面には軸部４４Ｃの上部を覆う回転支持部４６Ａが設けられている。カバー４６はケース４１に装着されてスイッチ装置５０が構成されている。
【００６７】
スイッチ装置５０の動作を以下に説明する。図８Ａから図８Ｃはスイッチ装置５０の動作を示す断面図である。実施の形態１によるスイッチ装置３０と同様に、実施の形態２におけるスイッチ装置５０では、操作体１４の操作部１４Ｂを押圧操作すると操作体１４が上下動してストッパ１７とカム部１５によってロック又はロック解除が行なわれると共に、スイッチ接点１６Ａの電気的接離が行なわれる。
【００６８】
スイッチ装置５０はロック状態における解除体４４によるロック解除動作が実施の形態１によるスイッチ装置３０と異なる。図８Ａから図８Ｃはスイッチ装置５０の動作を示す断面図である。
【００６９】
図８Ａに示すように、ストッパ１７の係止部１７Ａが解除体４４の保持部４４Ｂに押圧され、係止部１７Ａが凸カム部１５Ａの上面に係止保持され操作体１４が所定の移動位置で保持されて、スイッチ装置５０はロック状態となっている。
【００７０】
このロック状態において、軸部４４Ｃから作動部４４Ａの端部までの長さに対し、軸部４４Ｃから保持部４４Ｂの端部までの長さは短くなっているため、保持ばね４５による作動部４４Ａへの付勢力が比較的小さくても、軸部４４Ｃからの各長さに反比例して保持部４４Ｂによるストッパ１７への押圧力を大きく適正なものにすることができる。
【００７１】
そして、このロック状態において解除体４４の作動部４４Ａを、解除体４４の後方向１０４から見て反時計回り方向へケース４１に向かって押圧操作すると、図８Ｂに示すように、解除体４４は保持ばね４５による付勢力に反して軸部４４Ｃを中心として解除体４４の後方向１０４から見て反時計回り方向へ回転する。この時、解除体４４の回転に伴い保持部４４Ｂがストッパ１７の係止部１７Ａから離れるように回転移動するため、係止部１７Ａは凸カム部１５Ａから外れてロック解除状態となって、図８Ｃに示すように、操作体１４はコイルばね１８に付勢されてレリーズ位置へ復帰する。
【００７２】
なお、スイッチ装置５０を用いた入力装置は図５に示す実施の形態１の場合とほぼ同様の構成である。しかし、スイッチ装置５０の解除体４４の作動部４４Ａはケース４１の外方の下方向１０２に突出しているため、回転操作部３２Ａの下部に突出する側方押圧部はスイッチ装置５０のケース４１の下方の配線基板３３の上面近傍を押圧するように構成される。
【００７３】
また、スイッチ装置５０では解除体４４の軸部４４Ｃから作動部４４Ａの端部までの長さに対し、軸部４４Ｃから保持部４４Ｂの端部までの長さを短くしている。これによって、保持ばね４５による作動部４４Ａへの付勢力が比較的小さくても、軸部４４Ｃからの各長さに反比例して保持部４４Ｂによるストッパ１７への押圧力が大きくなり、適正なものにすることができるため、回転操作部３２Ａを回転させて側方押圧部を介して解除体４４を押圧する荷重も比較的小さくすることが可能である。
【００７４】
このように、実施の形態２によるスイッチ装置５０では、操作体１４がロック状態において、解除体４４の保持部４４Ｂが保持ばね４５の付勢力によってストッパ１７を押圧してカム部１５に係止保持させ、解除体４４の作動部４４Ａを押圧操作することによって、保持部４４Ｂがストッパ１７から離れてストッパ１７とカム部１５との係止が外れ、ロック解除が行われる。したがって、保持ばね４５により付勢された解除体４４によってロック状態が保持されると共に解除体４４の作動部４４Ａを外方へ付勢することで、解除体４４を外方へ付勢するための別の付勢部材を設ける必要はなく、部品点数が少なく簡易な構成で、操作体１４によるロック及びロック解除又は解除体によるロック解除が確実で、小型のスイッチ装置５０を実現することができる。
【００７５】
実施の形態１によるスイッチ装置３０では、ケース１１の下面から下方へ直線状に延出した端子部１２Ａ、１２Ｂ、１２Ｃは、下方の配線基板３３のスルーホールに挿通してはんだ付けされるディップはんだ対応の端子部である。実施の形態２におけるスイッチ装置５０では、ケース４１の下面に対し略平行に折曲された端子部４２Ａ、４２Ｂ、４２Ｃは、配線基板３３の上面のランドパターンに表面実装されるリフローはんだ対応の端子部である。実施の形態１によるスイッチ装置３０の端子部１２Ａ、１２Ｂ、１２Ｃが実施の形態２によるスイッチ装置５０の端子部４２Ａ、４２Ｂ、４２Ｃの形状を有していてもよい。逆に、実施の形態２によるスイッチ装置５０の端子部４２Ａ、４２Ｂ、４２Ｃが実施の形態１によるスイッチ装置３０の端子部１２Ａ、１２Ｂ、１２Ｃの形状を有していてもよい。さらに、スイッチ装置３０、５０の端子部１２Ａ〜１２Ｃ、４２Ａ〜４２Ｃは他の形状を有していてもよい。
【００７６】
実施の形態１、２によるスイッチ装置３０、５０では、スイッチ接点１６Ａはクリップ状の可動接点１６と板状の固定接点１１２Ａ〜１１２Ｃ、１４２Ａ〜１４２Ｃによる構成されている。平面状の固定接点と、この固定接点に対向し弾接して摺動するブラシ状の可動接点により構成されていてもよい。また、スイッチ接点は、ドーム状の可動接点と、この可動接点に対向する平面状の固定接点より構成されていてもよい。
【００７７】
実施の形態において、「上面」「下面」「上方向」「下方向」「前方向」「後方向」「右方向」「左方向」等の方向を示す用語はスイッチ装置３０、５０の構成部品の相対的な位置関係にのみ依存する相対的な方向を示し、鉛直方向等の絶対的な方向を示すものではない。
【産業上の利用可能性】
【００７８】
本発明におけるスイッチ装置は、部品点数が少なく簡易な構成で、操作体によるロック及びロック解除又は解除体によるロック解除が確実で、小型のものにでき、主に車両内の各種電子機器の操作用として有用である。
【符号の説明】
【００７９】
１１，４１    ケース
１１Ｄ    係合部
１４    操作体
１４Ｂ    操作部
１５    カム部
１６Ａ    スイッチ接点
１７    ストッパ
１７Ａ    係止部
１７Ｂ    支持部
１９，４５    保持ばね
２０，４４    解除体
２０Ａ，４４Ａ    作動部
２１，４６    カバー
３０，５０    スイッチ装置
３２    入力装置
【図１】
2015087484.tif 000003
【図２】
2015087484.tif 000004
【図３】
2015087484.tif 000005
【図４Ａ】
2015087484.tif 000006
【図４Ｂ】
2015087484.tif 000007
【図４Ｃ】
2015087484.tif 000008
【図５】
2015087484.tif 000009
【図６】
2015087484.tif 000010
【図７】
2015087484.tif 000011
【図８Ａ】
2015087484.tif 000012
【図８Ｂ】
2015087484.tif 000013
【図８Ｃ】
2015087484.tif 000014
【図９】
2015087484.tif 000015
【手続補正書】
【提出日】平成28年2月15日(2016.2.15)
【手続補正１】
【補正対象書類名】明細書
【補正対象項目名】００１９
【補正方法】変更
【補正の内容】
【００１９】
操作体１４の基部１４Ａの前方向１０３と後方向１０４の両側面には収納部１４Ｃが形成されている。収納部１４Ｃには、略クリップ形状を有してリン青銅板等の導電金属板製の可動接点１６が各々収納される。可動接点１６は固定接点１１２Ａ、１１２Ｂ、１１２Ｃを挟み固定接点１１２Ａ、１１２Ｂ、１１２Ｃに弾接している。具体的には、可動接点１６は固定接点１１２Ａ、１１２Ｂ、１１２Ｃのうちの２つの固定接点を同時に挟み弾接し、固定接点１１２Ａ、１１２Ｂ、１１２Ｃの全てを同時に弾接していない。この構成により可動接点１６は、固定接点１１２Ａ、１１２Ｂ（端子部１２Ａ、１２Ｂ）を接続して固定接点１１２Ｃ（端子部１２Ｃ）を固定接点１１２Ａ、１１２Ｂ（端子部１２Ａ、１２Ｂ）から切断する第１の接続状態と、固定接点１１２Ｂ、１１２Ｃ（端子部１２Ｂ、１２Ｃ）を接続して固定接点１１２Ａ（端子部１２Ａ）を固定接点１１２Ｂ、１１２Ｃ（端子部１２Ｂ、１２Ｃ）から切断する第２の接続状態とにスイッチ接点１６Ａを切り替えることができる。
【国際調査報告】
2015087484.tif 000016
2015087484.tif 000017